(57)【要約】【課題】吸収体の剛性を高くしすぎることなくこの吸収体の形状を安定することができる使い捨て吸収性物品を提供する。【解決手段】おむつ体１は透液性表面シート２、吸収体３、中間シート６、吸収体支持部材８，８、不透液性裏面シート４、外層シート５とを順次積層形成する。透液性表面シート２と中間シート６との略中央部に吸収体３を配設し、中間シート６の裏面側には一対の吸収体支持部材８，８を幅方向に平行に配設する。吸収体支持部材８，８の内側縁間は間隙部９を形成し、この間隙部９にて中間シート６、不透液性裏面シート４、外層シート５とを一体的に接合する。吸収体支持部材８，８は吸収体３よりも高い剛性を有するので、吸収体３の剛性を高くしなくても吸収体３の形状が安定して肌触りや風合いがよくなり、装着時に吸収体３に余分な皺やよれが発生することを防止できる。【選択図】　　　　図１
2004065524.tif 000002
【特許請求の範囲】
【請求項１】
透液性表面シートと、この透液性表面シートの裏面側に配設した吸収体と、この吸収体の裏面側に位置して配設した不透液性裏面シートと、この不透液性裏面シートの裏面側に位置して配設した外層シートとを有し、かつ背側腰回り部、両側部に脚回り部を有する股下回り部、および腹側腰回り部を長手方向に順次一体的に形成し、前記外層シートの背側腰回り部および腹側腰回り部にはこの外層シートの幅方向に伸縮する背側腰回り用弾性体および腹側腰回り用弾性体を配設するとともに、前記外層シートの前記両側脚回り部にはそれぞれ脚回り用弾性体を配設した吸収性物品体において、
前記吸収体は前記吸収性物品体の透液性表面シートの裏面側に位置し、かつ少なくともこの吸収性物品体の股下回り部に配設するとともに、この吸収体の裏面には中間シートを配設し、
この中間シートの裏面側に位置して一対の吸収体支持部材が幅方向に平行に配設され、この吸収体支持部材は外側縁を前記吸収体の外側縁と同一位置または吸収体の外側縁より内側に位置して配設するとともにこの一対の吸収体支持部材の内側縁間は長手方向に沿って間隙部を形成し、
この間隙部において前記中間シート、前記不透液性裏面シート、前記外層シートを一体的に接合する
ことを特徴とする使い捨て吸収性物品。
【請求項２】
外層シートは、表面側の内側シート片と裏面側の外側シート片とを重ね合わせて形成し、前記内側シート片と前記外側シート片との間において一対の吸収体支持部材の間隙部に位置して中央弾性体を吸収性物品体の長手方向に沿って配設する
ことを特徴とする請求項１記載の使い捨て吸収性物品。
【請求項３】
吸収体支持部材は吸収性を有する材質にて形成し、中間シートを透液性シートとするとともにこの中間シートの裏面に位置して不透液性裏面シートとの間に吸収体支持部材を配設する
ことを特徴とする請求項１または２記載の使い捨て吸収性物品。
【請求項４】
吸収体支持部材は、吸収体より高い剛性を有して形状保持が可能な材質で形成した
ことを特徴とする請求項１ないし３のいずれかに記載の使い捨て吸収性物品。
【発明の詳細な説明】
【０００１】
【発明の属する技術分野】
本発明は、大人用或いは失禁用の使い捨ておむつなどの使い捨て吸収性物品に関する。
【０００２】
【従来の技術】
従来、この種の使い捨ておむつなどの使い捨て吸収性物品としては、透液性表面シート、吸収体、不透液性裏面シート、外層シートとを順次積層し、背側腰回り部、股下回り部、腹側腰回り部を長手方向に順次一体に形成した使い捨て吸収性物品が一般に知られている。
【０００３】
そして、前記使い捨て吸収性物品に配設される吸収体は、綿状パルプを形成し、その綿状パルプに吸収性樹脂を混合する構成が一般的である。
【０００４】
また、特開平１１−８９８８０号公報に記載されているように、表面側に配設した第１の吸収体とこの第１の吸収体の裏面側に積層され左右に分離した一対の第２の吸収体とを設けた使い捨ておむつも知られている。
【０００５】
【発明が解決しようとする課題】
一般的に知られている吸収体は、前記綿状パルプに吸収性樹脂を混合して構成され、この吸収体は装着状態において形状を安定されるためにプレス加工を施して成形する。しかし、プレス圧が強すぎると、吸収体の形状は安定するものの吸収体が剛性が高くなりすぎて、風合いが悪くなり、また、装着時に装着者が股下回り部に違和感を生じることがあり、さらに、過剰に圧縮された吸収体は吸収性能が劣化することになる。一方、プレス圧が弱すぎると、風合いはよくなるものの装着状態における吸収体の形状を安定させることが難しくなり、装着時に吸収体が形崩れし、吸収体に皺やよれが生じ、吸収体への密着性、吸収性能の低下を引き起こすなどの問題がある。
【０００６】
さらに、特開平１１−８９８８０号公報に記載されている第１の吸収体と一対の第２の吸収体とを積層した構成では、装着者の肌と前記吸収体との密着性を向上させるには不十分であった。
【０００７】
本発明は上記問題点に鑑みなされたもので、装着時における吸収体の形状を安定させることができ、吸収体に皺やよれが生ずることがなく、排泄液の漏洩を確実に防止することができる使い捨て吸収性物品を提供することを目的とする。
【０００８】
【課題を解決するための手段】
請求項１記載の発明の使い捨て吸収性物品は、透液性表面シートと、この透液性表面シートの裏面側に配設した吸収体と、この吸収体の裏面側に位置して配設した不透液性裏面シートと、この不透液性裏面シートの裏面側に位置して配設した外層シートとを有し、かつ背側腰回り部、両側部に脚回り部を有する股下回り部、および腹側腰回り部を長手方向に順次一体的に形成し、前記外層シートの背側腰回り部および腹側腰回り部にはこの外層シートの幅方向に伸縮する背側腰回り用弾性体および腹側腰回り用弾性体を配設するとともに、前記外層シートの前記両側脚回り部にはそれぞれ脚回り用弾性体を配設した吸収性物品体において、前記吸収体は前記吸収性物品体の透液性表面シートの裏面側に位置し、かつ少なくともこの吸収性物品体の股下回り部に配設するとともに、この吸収体の裏面には中間シートを配設し、この中間シートの裏面側に位置して一対の吸収体支持部材が幅方向に平行に配設され、この吸収体支持部材は外側縁を前記吸収体の外側縁と同一位置または吸収体の外側縁より内側に位置して配設するとともにこの一対の吸収体支持部材の内側縁間は長手方向に沿って間隙部を形成し、この間隙部において前記中間シート、前記不透液性裏面シート、前記外層シートを一体的に接合するものである。
【０００９】
そして、吸収体は裏面側が一対の吸収体支持部材にて支持されることにより、この吸収体の形状が安定し、この吸収体の肌触りや風合いをよくでき、装着時に吸収体に余分な皺やよれが発生することを防止することができる。
【００１０】
また、一対の吸収体支持部材の外側縁は吸収体の外側縁と同一位置または吸収体の外側縁より内側に位置していることにより、吸収体支持部材が装着者の脚回りに当たって違和感を覚えたり、装着者の肌と前記吸収体との密着性が低下したりすることはない。
【００１１】
さらに、吸収体支持部材の内側縁間は長手方向に沿って間隙部を形成していることにより、使い捨て吸収性物品の股下回り部の幅方向寸法が装着者の股下回りの幅方向寸法よりも大きい場合であっても、前記吸収体支持部材は、前記間隙部の両側部を起点として吸収体支持部材の両外側縁方向に拡開状に変形して前記吸収体を支持し、前記吸収体を身体に密着させることができる。
【００１２】
請求項２記載の発明の使い捨て吸収性物品は、請求項１記載の使い捨て吸収性物品において、外層シートは、表面側の内側シート片と裏面側の外側シート片とを重ね合わせて形成し、前記内側シート片と前記外側シート片との間において一対の吸収体支持部材の間隙部に位置して中央弾性体を吸収性物品体の長手方向に沿って配設するものである。
【００１３】
そして、一対の吸収体支持部材の間隙部の中央弾性体により、吸収体を長手方向に伸縮させることが可能になり、この吸収性物品体を身体に密着させることができる。
【００１４】
請求項３記載の発明の使い捨て吸収性物品は、請求項１または２記載の使い捨て吸収性物品において、吸収体支持部材は吸収性を有する材質にて形成し、中間シートを透液性とするとともにこの中間シートの裏面に位置して不透液性裏面シートとの間に吸収体支持部材を配設するものである。
【００１５】
そして、吸収体から漏泄した排泄液を吸収体支持部材によって吸収することができるため、排泄液の吸収容量が大きくなり、排泄液が吸収性物品体から外部に漏泄することを防止できる。
【００１６】
請求項４記載の発明の使い捨て吸収性物品は、請求項１ないし３のいずれかに記載の使い捨て吸収性物品において、吸収体支持部材は、吸収体より高い剛性を有して形状保持が可能な材質で形成したものである。
【００１７】
そして、吸収体よりも高い剛性を有する吸収体支持部材によって、吸収体の風合いが良好に保たれ、吸収体を確実に装着者の身体に密着させることができる。
【００１８】
【発明の実施の形態】
以下、本発明の使い捨て吸収性物品における一実施の形態の構成を図１ないし図３を参照して説明する。
【００１９】
使い捨て吸収性物品は、大人用或いは失禁用などの吸収性物品体、例えばおむつ体１を備えている。
【００２０】
そして、このおむつ体１は、図１および図２に示すとおり、透液性表面シート２、吸収体３、不透液性裏面シート４、外層シート５を有し、また、前記吸収体３と不透液性裏面シート４との間に中間シート６と吸収体支持部材８を配設し、この透液性表面シート２、吸収体３、中間シート６、吸収体支持部材８，８、不透液性裏面シート４、外層シート５とを順次積層する。
【００２１】
また、前記透液性表面シート２は、例えば肌着に近い感触を有する織布、不織布、多孔性フィルム、合成繊維などの液透過性および通気性を有するシート材にて形成され、尿などの排泄液を透過させる。
【００２２】
そして、前記透液性表面シート２の裏面側に配設した吸収体３は、例えば、尿などの排泄液を吸収するパルプを主材料として一部に高分子吸収体などの物質を含んだ材料にてシート状に形成し、プレス加工によって剛性を有するように形成する。この吸収体３の剛性は圧縮仕事量として算出すると、この圧縮仕事量の値が大きいほど柔らかさを表すことになり、この圧縮仕事量は、この吸収体３の装着時における形状を安定させるとともに装着感を良好に保つには、３９．２〜５８．８ｍＮ・ｃｍ／ｃｍ２程度とすることが望ましい。
【００２３】
また、前記吸収体３は、長手方向および幅方向寸法は前記透液性表面シート２の長手方向および幅方向寸法よりも小さく、両外側縁の長手方向略中間部が内方に向けて略凹孤状に切り欠かれた略細長略矩形形状に形成されている。
【００２４】
さらに、前記吸収体３の裏面に配設した中間シート６は透液性シートで形成され、長手方向および幅方向寸法は前記透液性表面シート２の長手方向および幅方向寸法と略同一に形成されている。
【００２５】
そして、前記透液性表面シート２と前記中間シート６は略中央部に前記吸収体３を配設してそれぞれ外側縁部が前記吸収体３の外側縁部よりも外方に延在し、この透液性表面シート２と中間シート６の前記吸収体３の外側縁部よりも外方に延在する外側縁部は接着剤などで結合され、この透液性表面シート２と中間シート６によって吸収体３が封着される。
【００２６】
また、前記透液性表面シート２と前記中間シート６との両外側縁部間で、前記吸収体３の長手方向の略中間部の両外側縁部外方にはそれぞれ細紐状の一条の弾性体７が伸張した状態で固着されている。
【００２７】
そして、この中間シート６の裏面側に位置して前記吸収体３の長手方向略中間部位置には一対の吸収体支持部材８，８が幅方向に間隙をもって配設されている。この吸収体支持部材８，８はウレタンフォームや、パルプに熱融着繊維やラテックスを混在させ高密度に形成したシート状吸収体であるエアレイド吸収体など、吸収性を有し、かつ形状保持が可能な材質で形成されている。また、この吸収体支持部材８，８は、プレス加工によって剛性を有するように形成する。この吸収体支持部材８，８のプレス加工は、前述の吸収体３の剛性と同様に圧縮仕事量として算出すると、前記吸収体３よりも高い剛性を有するように、４．９〜４４．１ｍＮ・ｃｍ／ｃｍ２程度の圧縮仕事量にて行うことが望ましい。そして、この各吸収体支持部材８，８はそれぞれ細長い略矩形の板状に形成され、それぞれの幅方向寸法は前記吸収体３の中間部における幅方向寸法の２分の１寸法よりも小さく、それぞれの外側縁を前記吸収体３の外側縁よりも内側に位置して左右に配設されている。
【００２８】
また、前記一対の吸収体支持部材８，８の互いに対向する内側縁間に形成された間隙部９においては、前記中間シート６、前記不透液性裏面シート４、前記外層シート５とを、接着剤などによって一体的に接合する
そして、前記吸収体支持部材８，８の裏面側に配設した不透液性裏面シート４は、尿などの排泄液にて下着などの他の衣類、あるいはシーツなどが汚れるのを防止するために、例えば、ポリエチレン樹脂などの合成樹脂などの液不透過性および通気性を有したシート材にて形成されており、前記吸収体３と略同一形状に形成されている。また、この不透液性裏面シート４の長手方向および幅方向寸法は前記透液性表面シート２および前記中間シート６の長手方向および幅方向寸法と略同一に形成されている。
【００２９】
また、前記外層シート５は、通気性かつ液不透過性を有する内側シート片１４と液不透過性を有する外側シート片１５とを重ね合わせて一体的に結合して形成されており、展開状態で背側腰回り部１０、股下回り部１１および腹側腰回り部１２がおむつ体１の長手方向に順次一体的に形成されるとともに長手方向に沿った中心線にて略線対称な矩形形状に形成され、この股下回り部１１の幅方向の両外側縁は凹弧状に切り欠かれた脚回り部１３が形成されている。
【００３０】
さらに、この外層シート５の背側腰回り部１０は、幅方向寸法が縦方向寸法より長い略矩形形状に形成され、この背側腰回り部１０において、前記内側シート片１４と外側シート片１５との間には、複数の細長い紐状の弾性部材から形成される背側腰回り用弾性体１６が伸張した状態で幅方向に固着されている。
【００３１】
そして、前記外層シート５の腹側腰回り部１２は、背側腰回り部１０と同様に、幅方向寸法が縦方向寸法より長い略矩形形状に形成され、この腹側腰回り部１２において、前記内側シート片１４と外側シート片１５との間には、複数の細長い紐状の弾性部材から形成される腹側腰回り用弾性体１７が伸張した状態で幅方向に向かって固着されている。
【００３２】
また、脚回り用弾性体１８，１９はそれぞれ数条の細紐ゴムなどにて形成され、この一方の脚回り用弾性体１８は両側部が外層シート５の内側シート片１４と外側シート片１５との間において、両端部が背側腰回り部１０の両外側縁に沿うとともに中間部が股下回り部１１を幅方向に横切って伸張した状態で固着され、他方の脚回り用弾性体１９は外層シート５の内側シート片１４と外側シート片１５との間において、両端部が腹側腰回り部１２の両外側縁に沿うとともに中間部が股下回り部１１を幅方向に横切って伸張した状態で固着され、また、この脚回り用弾性体１８，１９は互いに交差することなく平行に配設される。
【００３３】
さらに、前記透液性表面シート２、前記吸収体３、前記中間シート６、前記吸収体支持部材８，８、前記不透液性裏面シート４は、前記外層シート５の略中央部において前記おむつ体１の長手方向に沿って配設されている。
【００３４】
そして、このおむつ体１は、図３に示すように、図１および図２に示す実施の形態における外層シート５の背側腰回り部１０の一方外側縁部２１と腹側腰回り部１２の一方外側縁部２２と、背側腰回り部１０の他方外側縁部２３と腹側腰回り部１２の他方外側縁部２４とを接着剤などにて結合し、おむつ体１の透液性表面シート２が内面側となる状態で、上面に開口形成された腰回り側開口部２５と、下面に開口形成されたと一対の脚回り側開口部２６，２６を有するパンツ形状に形成する。
【００３５】
次に、上記実施の形態の作用について説明する。
【００３６】
装着に際しては、図３に示すように、おむつ体１はパンツのように容易に装着する。
【００３７】
そして、吸収体３は裏面側が一対の吸収体支持部材８，８にて支持されることにより、この吸収体３の形状が安定し、この吸収体３の肌触りや風合いをよくでき、装着時に吸収体３に余分な皺やよれが発生することを防止することができる。
【００３８】
また、一対の吸収体支持部材８，８の外側縁は吸収体３の外側縁と同一位置または吸収体３の外側縁より内側に位置していることにより、吸収体支持部材８，８が装着者の脚回りに当たって違和感を覚えたり、装着者の肌と前記吸収体３との密着性が低下したりすることはない。
【００３９】
また、吸収体支持部材８，８の内側縁間は長手方向に沿って間隙部９を形成していることにより、おむつ体１の股下回り部１１の幅方向寸法が装着者の股下回りの幅方向寸法よりも大きい場合であっても、前記吸収体支持部材８，８は、前記間隙部９に臨む両側部を起点として吸収体支持部材８，８の両外側縁方向に拡開状に変形して前記吸収体３を支持し、前記吸収体３を身体に密着させることができる。
【００４０】
そして、前記吸収体支持部材８，８は吸収性を有する材質にて形成し、前記中間シート６を透液性とするとともに前記吸収体支持部材８，８をこの中間シート６の裏面に位置して配設したことにより、吸収体３から漏泄した排泄液を吸収体支持部材８，８によって吸収でき、排泄液の吸収容量が大きくなり、排泄液がおむつ体１から外部に漏泄することを防止できる。
【００４１】
さらに、前記吸収体支持部材８，８は前記吸収体３より高い剛性を有して形状保持が可能であるため、吸収体３の風合いが良好に保たれ、吸収体３を確実に装着者の身体に密着させることができる。
【００４２】
なお、この実施の形態においては吸収体支持部材８，８は吸収性を有する材質にて形成したが、この吸収体支持部材８，８は非吸収性の材質によって形成することもできる。この形態においては前記中間シート６は不透液性シートにて形成する。
【００４３】
また、この実施の形態においては、前記おむつ体１は図３に示すパンツ形状に形成したが、おむつ体１を図１に示す長手方向に長い略矩形形状の展開状態の構成とすることもできる。
【００４４】
次に、本発明の使い捨て吸収性物品における他の実施の形態の構成を図４および図５を参照して説明する。
【００４５】
おむつ体１は、図４および図５に示すとおり、透液性表面シート２、吸収体３、中間シート６、不透液性裏面シート４、吸収体支持部材８，８、外層シート５とを順次積層して形成する。
【００４６】
また、前記透液性表面シート２と前記中間シート６との間には略中央部に前記吸収体３を配設して、前記吸収体３の外側縁部よりも外方に延在する前記透液性表面シート２と前記中間シート６のそれぞれの外側縁部の間には伸張した状態の弾性体７が接着剤などで固着した状態で結合され、この透液性表面シート２と中間シート６とによって、吸収体３が封着される。なお、この吸収体３の剛性は圧縮仕事量として算出すると、この圧縮仕事量の値が大きいほど柔らかさを表すことになり、この圧縮仕事量は、この吸収体３の装着時における形状を安定させるとともに装着感を良好に保つには、３９．２〜５８．８ｍＮ・ｃｍ／ｃｍ２程度とすることが望ましい。
【００４７】
そして、前記不透液性裏面シート４は、前記吸収体３と略同一形状に形成されている。また、この不透液性裏面シート４の長手方向および幅方向寸法は前記透液性表面シート２および前記中間シート６の長手方向および幅方向寸法と略同一である。
【００４８】
さらに、前記不透液性裏面シート４の裏面側に位置して前記吸収体３の長手方向略中間部位置には一対の吸収体支持部材８，８が幅方向に間隙をもって配設されている。この吸収体支持部材８，８は液非吸収性を有し、かつ前記吸収体３より高い剛性を有して形状保持が可能な材質にて形成されている。また、この吸収体支持部材８，８は、プレス加工によって剛性を有するように形成する。この吸収体支持部材８，８のプレス加工は、前述の吸収体３の剛性と同様に圧縮仕事量として算出すると、前記吸収体３よりも高い剛性を有するように、４．９〜４４．１ｍＮ・ｃｍ／ｃｍ２程度の圧縮仕事量にて行うことが望ましい。
【００４９】
そして、この吸収体支持部材８はそれぞれ細長い略矩形の板状に形成され、それぞれの幅方向寸法は前記吸収体３の中間部における幅方向寸法の２分の１寸法よりも小さく、それぞれの外側縁を前記吸収体３の外側縁よりも内側に位置して左右に配設されている。
【００５０】
そして、前記一対の吸収体支持部材８，８の互いに対向する内側縁間に形成された間隙部９においては、前記中間シート６、前記不透液性裏面シート４、前記外層シート５を、接着剤などによって一体的に接合する。
【００５１】
また、前記外層シート５は、内側シート片１４と外側シート片１５とを重ね合わせて一体的に結合して形成されており、展開状態で背側腰回り部１０、股下回り部１１および腹側腰回り部１２が前記おむつ体１の長手方向に順次一体的に形成されるとともに長手方向に沿った中心線にて略線対称な矩形形状に形成され、この股下回り部１１の幅方向の両外側縁は凹弧状に切り欠かれた脚回り部１３が形成されている。
【００５２】
また、前記外層シート５の背側腰回り部１０および腹側腰回り部１２は、幅方向寸法が縦方向寸法より長い略矩形形状に形成され、この背側腰回り部１０および腹側腰回り部１２において前記前記内側シート片１４と前記外側シート片１５との間には、複数の細長い紐状の弾性部材から形成される背側および腹側腰回り用弾性体１６，１７がそれぞれ伸張した状態で幅方向に配設されて固着されている。
【００５３】
さらに、脚回り用弾性体１８，１９はそれぞれ数条の細紐ゴムなどにて形成され、この一方の脚回り用弾性体１８は両側部が外層シート５の内側シート片１４と外側シート片１５との間において、両端部が背側腰回り部１０の両外側縁に沿うとともに中間部が股下回り部１１を幅方向に横切って伸張した状態で固着され、他方の脚回り用弾性体１９は外層シート５の内側シート片１４と外側シート片１５との間において、両端部が腹側腰回り部１２の両外側縁に沿うとともに中間部が股下回り部１１を幅方向に横切って伸張した状態で固着され、また、この脚回り用弾性体１８，１９は互いに交差することなく平行に配設される。
【００５４】
そして、前記外層シート５の股下回り部１１において前記内側シート片１４と外側シート片１５との間には、前記一対の吸収体支持部材８，８の間隙部９に位置して、中央弾性体２７がおむつ体１の長手方向に沿って伸張した状態で配設され固着されている。この中央弾性体２７は、細紐ゴムなどによって形成された数条の弾性体からなり、前記外層シート５の長手方向に伸縮する。
【００５５】
また、この外層シート５の略中央部においては、前記透液性表面シート２、前記吸収体３、前記中間シート６は、前記不透液性裏面シート４、前記吸収体支持部材８が前記おむつ体１の長手方向に沿って配設されている。
【００５６】
そして、このおむつ体１は、図３に示すように、図４および図５に示す実施の形態における外層シート５の背側腰回り部１０の一方外側縁部２１と腹側腰回り部１２の一方外側縁部２２と、背側腰回り部１０の他方外側縁部２３と腹側腰回り部１２の他方外側縁部２４とを接着剤などにて結合し、おむつ体１の透液性表面シート２が内面側となる状態で、上面に開口形成された腰回り側開口部２５と、下面に開口形成されたと一対の脚回り側開口部２６，２６を有するパンツ形状に形成する。
【００５７】
また、その他の構成は図１および図２に示す実施の形態と同じである。
【００５８】
次に、上記実施の形態の作用について説明する。
【００５９】
装着に際しては、図３に示すように、おむつ体１はパンツのように容易に装着する。
【００６０】
そして、前記一対の吸収体支持部材８，８の間隙部９に位置して、中央弾性体２７がおむつ体１の長手方向に沿って配設されているため、吸収体３を前記外層シート５の長手方向に伸縮させることが可能になり、このおむつ体１を身体に密着させることができる。
【００６１】
また、この実施の形態においては、前記おむつ体１は図３に示すパンツ形状に形成したが、おむつ体１を図４に示す長手方向に長い略矩形形状の展開状態の構成とすることもできる。
【００６２】
次に、本発明の使い捨て吸収性物品における他の実施の形態の構成を図３、図６および図７を参照して説明する。
【００６３】
おむつ体１は、図６および図７に示すとおり、透液性表面シート２、吸収体３、中間シート６、透液性シート２８、不透液性裏面シート４、外層シート５とを順次積層して形成する。
【００６４】
また、前記透液性表面シート２と前記中間シート６との間には略中央部に前記吸収体３を配設して、前記吸収体３の外側縁部よりも外方に延在する前記透液性表面シート２と前記中間シート６のそれぞれの外側縁部の間には伸張した状態の弾性体７が接着剤などで固着した状態で結合され、この透液性表面シート２と中間シート６とによって、吸収体３が封着される。なおこの吸収体３は、プレス加工によって剛性を有するように形成する。この吸収体３の剛性は圧縮仕事量として算出すると、この圧縮仕事量の値が大きいほど柔らかさを表すことになり、この圧縮仕事量は、この吸収体３の装着時における形状を安定させるとともに装着感を良好に保つには、３９．２〜５８．８ｍＮ・ｃｍ／ｃｍ２程度とすることが望ましい。
【００６５】
そして、前記透液性シート２８は前記透液性表面シート２と同様、液透過性および通気性を有し、肌着に近い感触を有するシート材にて形成される。そして、前記股下回り部１１における幅方向寸法は前記透液性表面シート２および前記中間シート６の幅方向寸法よりも大きく、また前記外層シート５の幅方向寸法よりも小さく形成されている。
【００６６】
そして、前記透液性シート２８の裏面側に位置して前記吸収体３の長手方向略中間部位置には一対の吸収体支持部材８，８が幅方向に間隙をもって配設されている。この吸収体支持部材８，８は吸収性を有し、かつ前記吸収体３より高い剛性を有して形状保持が可能な材質にて形成されている。また、この吸収体支持部材８，８は、プレス加工によって剛性を有するように形成する。この吸収体支持部材８，８のプレス加工は、前述の吸収体３の剛性と同様に圧縮仕事量として算出すると、前記吸収体３よりも高い剛性を有するように、４．９〜４４．１ｍＮ・ｃｍ／ｃｍ２程度の圧縮仕事量にて行うことが望ましい。
【００６７】
そして、この吸収体支持部材８はそれぞれ細長い略矩形の板状に形成され、それぞれの幅方向寸法は前記吸収体３の中間部における幅方向寸法の２分の１寸法よりも小さく、それぞれの外側縁を前記吸収体３の外側縁よりも内側に位置して左右に配設されている。
【００６８】
そして、前記一対の吸収体支持部材８，８の互いに対向する内側縁間に形成された間隙部９においては、前記中間シート６、透液性シート２８、前記不透液性裏面シート４、前記外層シート５を、接着剤などによって一体的に接合する。
【００６９】
そして、前記不透液性裏面シート４は、前記吸収体３と略同一形状に形成されている。また、この不透液性裏面シート４は、長手方向寸法は前記透液性表面シート２および中間シート６の長手方向寸法と略同一で、幅方向寸法は前記透液性表面シート２および中間シート６の幅方向寸法よりやや大きい。
【００７０】
さらに、この不透液性裏面シート４の両側部には、それぞれ立体ギャザシート片２９，２９が配設されている。この立体ギャザシート片２９，２９は、いずれも不透液性のシート片を二つ折りし、この二つ折りした折り目部分を先端縁部３０に形成するとともにこの先端縁部３０の他縁側を基端縁部３１に形成し、前記先端縁部３０近傍の内側においては数条の細紐状の弾性体３２が伸張した状態で配設され接着剤などで固着されている。そして、前記立体ギャザシート片２９，２９はおむつ体１の両外側縁部に沿って配設し、前記基端縁部３１，３１を前記不透液性裏面シート４の両外側縁部に接着剤などで固着されるとともに、前記先端縁部３０，３０近傍と前記不透液性裏面シート４とはそれぞれ非固着部とした自由端に形成されている。
【００７１】
また、前記外層シート５は、内側シート片１４と外側シート片１５とを重ね合わせて一体的に結合して形成されており、前記不透液性裏面シート４と形状および寸法が略同一であり、展開状態で背側腰回り部１０、股下回り部１１および腹側腰回り部１２がおむつ体１の長手方向に順次一体的に形成されるとともに長手方向に沿った中心線にて略線対称な矩形形状に形成され、この股下回り部１１の幅方向の両外側縁は凹孤状に切り欠かれた脚回り部１３が形成されている。
【００７２】
また、前記外層シート５の背側腰回り部１０および腹側腰回り部１２は、幅方向寸法が縦方向寸法より長い略矩形形状に形成され、この背側腰回り部１０および腹側腰回り部１２において前記前記内側シート片１４と前記外側シート片１５との間には、複数の細長い紐状の弾性部材から形成される背側および腹側腰回り用弾性体１６，１７がそれぞれ伸張した状態で幅方向に配設されて固着されている。
【００７３】
さらに、脚回り用弾性体１８，１９はそれぞれ数条の細紐ゴムなどにて形成され、この一方の脚回り用弾性体１８は両側部が外層シート５の内側シート片１４と外側シート片１５との間において、両端部が背側腰回り部１０の両外側縁に沿うとともに中間部が股下回り部１１を幅方向に横切って伸張した状態で固着され、他方の脚回り用弾性体１９は外層シート５の内側シート片１４と外側シート片１５との間において、両端部が腹側腰回り部１２の両外側縁に沿うとともに中間部が股下回り部１１を幅方向に横切って伸張した状態で固着され、また、この脚回り用弾性体１８，１９は互いに交差することなく平行に配設される。
【００７４】
そして、前記透液性表面シート２、前記吸収体３、前記中間シート６、前記吸収体支持部材８，８、前記不透液性裏面シート４は、前記外層シート５の略中央部においておむつ体１の長手方向に沿って配設されている。
【００７５】
また、このおむつ体１は、図３に示すように、図６および図７に示す実施の形態における外層シート５の背側腰回り部１０の一方外側縁部２１と腹側腰回り部１２の一方外側縁部２２と、背側腰回り部１０の他方外側縁部２３と腹側腰回り部１２の他方外側縁部２４とを接着剤などにて結合し、おむつ体１の透液性表面シート２が内面側となる状態で、上面に開口形成された腰回り側開口部２５と、下面に開口形成されたと一対の脚回り側開口部２６，２６を有するパンツ形状に形成する。
【００７６】
そして、その他の構成は図１および図２に示す実施の形態と同じである。
【００７７】
次に、上記実施の形態の作用について説明する。
【００７８】
まず、装着に際しては、図３に示すように、おむつ体１はパンツのように容易に装着する。
【００７９】
そして、不透液性裏面シート４の両側部に配設された立体ギャザシート片２９，２９は、装着時に前記弾性体３２が収縮してこの弾性体３２周辺の前記立体ギャザシート片２９を収縮させて、前記立体ギャザシート片２９は装着者の身体方向に起立して立体ギャザを形成し、装着者の身体に密着しやすい形状を形成しておむつ体１の装着性が向上するので、おむつ体１を、外層シート５の起立に左右されることなく装着者の身体に密着させることができる。
【００８０】
なお、この実施の形態において、前記立体ギャザシート片２９は前記不透液性裏面シート４の両外側縁部に不透液性のシート片を配設固着して形成したが、この立体ギャザシート片２９は前記不透液性裏面シート４を前記透液性表面シート２の両外側縁部よりも幅方向に延在させてこの不透液性裏面シート４と一体に形成することもできる。
【００８１】
そして、上記各実施の形態においては、図１ないし図５、図６および図７に示すとおり前記中間シート６は透液性シートとしたが、この中間シート６は不透液性シートにて形成することもできる。
【００８２】
また、上記各実施の形態においては、図１ないし図５、図６および図７に示すとおり、透液性表面シート２と前記中間シート６の両外側縁部で、前記吸収体３の長手方向の略中間部の両外側縁部外方にはそれぞれ細紐状の弾性体７が１条ずつ配設されている構成としたが、前記透液性表面シート２と前記中間シート６の両外側縁部に前記弾性体７を配設しない構成とすることもできる。
【００８３】
【実施例】
前記実施の形態におけるおむつ体１の吸収体３および吸収体支持部材８の剛性について試験例に基づいて説明する。
【００８４】
おむつ体１の吸収体３および吸収体支持部材８の剛性は、圧縮仕事量として算出すると、この圧縮仕事量の値が大きいほど柔らかさを表すことになる。
【００８５】
吸収体３および吸収体支持部材８の圧縮仕事量は、０．３〜０．４ｃｍの厚さを有し、縦１２ｃｍ×横１２ｃｍの大きさにカットした試験片とし、この試験片を試験台に載せて加圧面積２ｃｍ２、圧縮スピード０．５ｍｍ／ｓｅｃでカトーテック株式会社「ＫＥＳ−Ｇ５　ハンディー圧縮試験機」を用いて測定を行った。
【００８６】
そして、試験の結果、前記吸収体３をプレス加工により形成するにあたっての圧縮仕事量は、前記吸収体３の装着時における形状を安定させるとともに装着感を良好に保つには、３９．２〜５８．８ｍＮ・ｃｍ／ｃｍ２程度とすることが望ましいことが判った。
【００８７】
また、試験の結果、吸収体支持部材８の圧縮仕事量は、この吸収体支持部材８が前記吸収体３よりも高い剛性を有するように、４４．１ｍＮ・ｃｍ／ｃｍ２程度以下が望ましいことが判った。また、圧縮仕事量が４．９ｍＮ・ｃｍ／ｃｍ２以下となると、吸収体３の形状は安定化するが、おむつ体１の股下回り部１１における吸収体３および吸収体支持部材８とを配設した部分が固くなりすぎるため、おむつ体１の装着感が悪くなることも判った。一方、吸収体支持部材８の圧縮仕事量が吸収体３の圧縮仕事量の値の９０％以下になると、吸収体支持部材８が吸収体３の形状の安定性にあまり寄与しなくなる。
【００８８】
したがって、前記吸収体支持部材８をプレス加工により形成するにあたっての圧縮仕事量は、吸収体３の圧縮仕事量の値の９０％以下であって４．９〜４４．１ｍＮ・ｃｍ／ｃｍ２程度となる値が望ましいことが判った。
【００８９】
【発明の効果】
請求項１記載の発明によれば、吸収体は裏面側が一対の吸収体支持部材にて支持されることにより、この吸収体の形状が安定し、この吸収体の肌触りや風合いをよくでき、装着時に吸収体に余分な皺やよれが発生することを防止することができる。
【００９０】
また、一対の吸収体支持部材の外側縁は吸収体の外側縁と同一位置または吸収体の外側縁より内側に位置していることにより、吸収体支持部材が装着者の脚回りに当たって違和感を覚えたり、装着者の肌と前記吸収体との密着性が低下したりすることはない。
【００９１】
さらに、吸収体支持部材の内側縁間は長手方向に沿って間隙部を形成していることにより、使い捨て吸収性物品の股下回り部の幅方向寸法が装着者の股下回りの幅方向寸法よりも大きい場合であっても、前記吸収体支持部材は、前記間隙部の両側部を起点として吸収体支持部材の両外側縁方向に拡開状に変形して前記吸収体を支持し、前記吸収体を身体に密着させることができる。
【００９２】
請求項２記載の発明によれば、一対の吸収体支持部材の間隙部の中央弾性体により、吸収体を長手方向に伸縮させることが可能になり、この吸収性物品体を身体に密着させることができる。
【００９３】
請求項３記載の発明によれば、吸収体から漏泄した排泄液を吸収体支持部材によって吸収することができるため、排泄液の吸収容量が大きくなり、排泄液が吸収性物品体から外部に漏泄することを防止できる。
【００９４】
請求項４記載の発明によれば、吸収体よりも高い剛性を有する吸収体支持部材によって、吸収体の風合いが良好に保たれ、吸収体を確実に装着者の身体に密着させることができる。
【図面の簡単な説明】
【図１】本発明の一実施の形態を示す使い捨て吸収性物品の展開した状態の一部を切り欠いた平面図である。
【図２】同上使い捨て吸収性物品の図１におけるＡ−Ａ線部の縦断正面図である。
【図３】同上使い捨て吸収性物品のパンツ形状の斜視図である。
【図４】本発明の他の実施の形態を示す使い捨て吸収性物品の展開した状態の一部を切り欠いた平面図である。
【図５】同上使い捨て吸収性物品の図１におけるＡ−Ａ線部の縦断正面図である。
【図６】本発明の他の実施の形態を示す使い捨て吸収性物品の展開した状態の一部を切り欠いた平面図である。
【図７】同上使い捨て吸収性物品の図１におけるＡ−Ａ線部の縦断正面図である。
【符号の説明】
１　　吸収性物品体としてのおむつ体
２　　透液性表面シート
３　　吸収体
４　　不透液性裏面シート
５　　外層シート
６　　中間シート
８　　吸収体支持部材
９　　間隙部
１０　　背側腰回り部
１１　　股下回り部
１２　　腹側腰回り部
１３　　脚回り部
１４　　内側シート片
１５　　外側シート片
１６　　背側腰回り用弾性体
１７　　腹側腰回り用弾性体
１８，１９　　脚回り用弾性体
２７　　中央弾性体
【図１】
2004065524.tif 000003
【図２】
2004065524.tif 000004
【図３】
2004065524.tif 000005
【図４】
2004065524.tif 000006
【図５】
2004065524.tif 000007
【図６】
2004065524.tif 000008
【図７】
2004065524.tif 000009